(57)【特許請求の範囲】
【請求項１】
男性器に装着して使用する吸水性パッドであって、
袋状を有し、内面が吸水性を有する本体部と、
前記内面に連通する開口と、
前記開口から延びる切れ目と、
前記切れ目を開閉可能なファスナーと、
を備え、
前記本体部は、
矩形状のシート体が折り曲げられることにより形成され、
折り目は、前記シート体の４辺に対応する４つの端部のうち、対向する２組の一対の端部の一方である一対の第一端部のそれぞれと交差し、前記２組の一対の端部の他方である一対の第二端部と交差せず、
前記一対の第一端部の一方が接合され、前記一対の第一端部の他方の全体が前記開口を形成し、
前記一対の第二端部が前記切れ目を形成し、
前記ファスナーは、
防水性ファスナーであり、
前記一対の第二端部の夫々に設けられた２つのエレメントと、前記２つのエレメントに沿って前記一対の第一端部の一方側に移動することによって前記２つのエレメントを離隔させ、前記前記一対の第一端部の他方側に移動することによって前記２つのエレメントを係合させるスライダーとを備え、
前記スライダーにより前記２つのエレメントが離隔した状態で、前記切れ目を開放し、前記スライダーにより前記２つのエレメントが係合した状態で、前記切れ目を閉塞して液体の通過を防止し、
前記開口の近傍に紐体が通してあり、
前記開口は、前記紐体により収縮可能であることを特徴とする吸水性パッド。
【請求項２】
前記紐体が前記開口を収縮した状態で保持する留め具を備えたことを特徴とする請求項１に記載の吸水性パッド。
【請求項３】
前記紐体の一部が、前記一対の第一端部の他方の両端部から延びて露出したことを特徴とする請求項１又は２に記載の吸水性パッド。
【発明の詳細な説明】
【技術分野】
【０００１】
本発明は、尿漏れを防止するための吸水性パッドに関する。
【背景技術】
【０００２】
尿漏れを防止する為の男性用尿パッドが各種提案されている。特許文献１に記載の男性用尿パッドは、通気性を有する表面シート、液不透過性の裏面シート、及び、表面シート及び裏面シートの間に挿入された吸収シートを有する。男性用尿パッドは、表面シート及び裏面シートの外縁が接合されることによりキャップ状となっており、且つ、男性器の挿入口が形成されている。挿入口にはギャザー加工が施され、ギャザーに沿ってゴム紐等の弾性部材が設けられる。男性用尿パッドは、挿入口を介して男性器の陰茎及び睾丸が挿入され、その後、弾性部材により男性器全体を締め付けることにより装着される。
【先行技術文献】
【特許文献】
【０００３】
【特許文献１】実用新案登録第３２０８２７０号公報
【発明の概要】
【発明が解決しようとする課題】
【０００４】
上記の男性用尿パッドは、挿入口を介して男性器を内部に挿入する作業を手際よく行うことができず、装着が不十分な状態で使用される可能性があった。
【０００５】
本発明は、男性器に対する装着を手際よく行うことができる吸水性パッドを提供することである。
【課題を解決するための手段】
【０００６】
本発明に係る吸水性パッドは、男性器に装着して使用する吸水性パッドであって、袋状を有し、内面が吸水性を有する本体部と、前記内面に連通する開口と、前記開口から延びる切れ目と、前記切れ目を開閉可能なファスナーと、を備え、前記本体部は、矩形状のシート体が折り曲げられることにより形成され、折り目は、前記シート体の４辺に対応する４つの端部のうち、対向する２組の一対の端部の一方である一対の第一端部のそれぞれと交差し、前記２組の一対の端部の他方である一対の第二端部と交差せず、前記一対の第一端部の一方が接合され、前記一対の第一端部の他方の全体が前記開口を形成し、前記一対の第二端部が前記切れ目を形成し、前記ファスナーは、防水性ファスナーであり、前記一対の第二端部の夫々に設けられた２つのエレメントと、前記２つのエレメントに沿って前記一対の第一端部の一方側に移動することによって前記２つのエレメントを離隔させ、前記前記一対の第一端部の他方側に移動することによって前記２つのエレメントを係合させるスライダーとを備え、前記スライダーにより前記２つのエレメントが離隔した状態で、前記切れ目を開放し、前記スライダーにより前記２つのエレメントが係合した状態で、前記切れ目を閉塞して液体の通過を防止し、前記開口の近傍に紐体が通してあり、前記開口は、前記紐体により収縮可能であることを特徴とする。
【０００７】
吸水性パッドは、ファスナーにより切れ目を開放した状態で、男性器を袋状の本体部内に容易に収容できる。このため使用者は、男性器に対する吸水性パッドの装着を手際よく行うことができる。又、吸水性パッドは、本体部内に男性器が収容された状態でファスナーにより切れ目が閉塞されることにより、本体部は男性器に密着する。このため吸水性パッドは、本体部の内面に尿等を適切に吸収させることができるので、尿漏れを適切に防止できる。又、吸水性パッドは、切れ目を介して尿等が外部に漏れることを、ファスナーにより適切に防止できる。
【０００８】
又、矩形状のシート体から吸水性パッドを容易に生成できる。
【０００９】
又、吸水性パッドは、男性器が本体部内に収容された状態で紐体により開口を収縮させることにより、男性器と開口とを密着させることができる。この場合、吸水性パッドは、男性器と開口との間の隙間から尿等が漏れることを抑制できる。
【００１０】
本発明において、前記紐体が前記開口を収縮した状態で保持する留め具を備えてもよい。この場合、吸水性パッドは、開口が収縮した状態を容易に維持できる。
【００１１】
本発明において、前記紐体の一部が、前記一対の第一端部の他方の両端部から延びて露出してもよい。この場合、吸水性パッドは、紐体を容易に操作して開口を適切に収縮させることにより、男性器と開口とを密着させることができる。この場合、吸水性パッドは、男性器と開口との間の隙間から尿等が外部に漏れることを抑制できる。
【００１２】
【図面の簡単な説明】
【００１３】
【図１】吸水性パッド１の左側面図である。
【図２】吸水性パッド１を後方から視た図である。
【図３】切れ目５が広がった状態の吸水性パッド１を上方から視た図である。
【図４】留め具８の拡大図である。
【図５】男性器９に対する装着過程における吸水性パッド１を上方から視た図である。
【図６】使用状態における吸水性パッド１の左側面図である。
【図７】使用状態における吸水性パッド１を後方から視た図である。
【発明を実施するための形態】
【００１４】
＜吸水性パッド１の概要＞
本発明の実施形態に係る吸水性パッド１の概略構成について、図１から図４を参照して説明する。吸水性パッド１は、尿漏れを抑制する為のものであり、男性器に装着して使用される。以下説明では、図１の上側、下側、左側、右側、手前側、奥側を、夫々、吸水性パッド１の上側、下側、前側、後側、左側、右側と定義する。なお、吸水性パッド１の各方向は、装着された状態における使用者の各方向に対応する。
【００１５】
吸水性パッド１は、本体部２、開口３、切れ目５、ファスナー６、紐体７、及び留め具８を有する。本体部２は、矩形状のシート体２Ａが折り目２０で折り曲げられることにより形成される（図３参照）。以下、シート体２Ａにおいて矩形状の４辺に対応する４つの端部を定義する。シート体２Ａが折り目２０で折り曲げられる前の状態で、２組の一対の端部（一対の第一端部２１、及び、一対の第二端部２２）は互いに対向する。一対の第一端部２１は、端部２１Ａ、２１Ｂを有する。一対の第二端部２２は、端部２２Ａ，２２Ｂを有する。
【００１６】
図１に示すように、折り目２０は、端部２１Ａ、２１Ｂと交差し、端部２２Ａ、２２Ｂと交差しない。シート体２Ａが折り目２０で折り曲げられた状態で、端部２１Ａのうち折り目２０との交点２０Ａで分割されたそれぞれの部分は、縫糸２１１で縫い合わせられることにより接合されている。端部２１Ｂは開口３を形成する。端部２２Ａ、２２Ｂは切れ目５を形成する。縫糸２１１による端部２１Ａの接合部分、折り目２０、開口３、及び切れ目５は、それぞれ、吸水性パッド１において前方、下方、後方、及び上方に配置される。端部２１Ｂのうち折り目２０との交点２０Ｂで分割されたそれぞれの部分は、開口３の左右両側に対応する。端部２２Ａ、２２Ｂは、切れ目５の左右両側に対応する。
【００１７】
＜本体部２＞
本体部２は、シート体２Ａが折り目２０で折り曲げられた状態で袋状となる。袋状の本体部２の外面は、防水材２５で覆われる。防水材２５は、紙おむつ等で使用される周知の防水シートである。防水材２５は、尿などの漏れを防止するカバーに相当する役割を果たす。防水材２５の一部には、水分を通さず通気性のある材質が使われてもよい。
【００１８】
袋状の本体部２の内面には、表面材２６及び吸水材２７及び設けられる。表面材２６は、防水材２５の内面に積層して配置される。表面材２６は、着用中の快適性を向上させるために設けられる。表面材２６の材料として、ポリエステル、ポリプロピレン等の不織布が使用される。表面材２６は、後述の吸水材２７に尿を素早く送り込むことにより、表面材２６自体が濡れ難くなっている。吸水材２７は、防水材２５と表面材２６との間に配置される。吸水材２７は、吸収紙、綿状パルプ、高分子吸水材などの組み合わせで構成される。吸水材２７は、尿を吸収し易く、且つ、吸収後に後戻りをさせないように特性が調整されている。吸水材２７は、本体部２の内面に吸水性を持たせている。
【００１９】
＜開口３＞
開口３は、袋状の本体部２において内面に連通する。図２に示すように、開口３の大きさは、本体部２のシート体２Ａの端部２１Ｂのうち交点２０Ｂで分割されたそれぞれの部分が互いに左右方向に離隔する程、大きくなる。図１、図２に示すように、本体部２の開口３の近傍に、環状に延びる筒状の紐通し２８が形成される。本体部２のシート体２Ａの端部２１Ｂの両端部であって、開口３の上端部近傍に、紐通し２８と連通するスリット状の裂け目２８Ａが設けられる。
【００２０】
＜紐体７、留め具８＞
紐体７は紐通し２８に挿通されている。紐体７は細長い紐状を有する。紐体７の材料は、弾性を有するゴムである。図１、図３に示すように、紐体７は、両端部が連結部７０により連結されることで、環状に形成されている。図１、図２に示すように、紐体７の一部は、本体部２の裂け目２８Ａを介して外部に露出する。紐体７は、露出部分が引っ張られることによって紐通し２８内の部分の長さが短くなり、紐通し２８を折り畳む。この場合、開口３は収縮される（図６、図７参照）。
【００２１】
紐体７のうち外部に露出する部分に、留め具８が設けられる。図４に示すように、留め具８は、基部８１及びボタン８２を有する。基部８１には、２つの貫通穴８１Ａが形成される。２つの貫通穴８１Ａには、紐体７のうち本体部２から外部に露出する部分が挿通する。ボタン８２は基部８１に設けられる。ボタン８２は、基部８１から突出した通常位置と、基部８１に押し込まれることによって基部８１内に進入した押下位置とに亘って移動可能である。紐体７は、ボタン８２が通常位置にある場合、２つの貫通穴８１Ａ内で移動不能に保持される。一方、紐体７は、ボタン８２が押下操作により押下位置に配置された場合、２つの貫通穴８１Ａに対して移動可能となる。留め具８は、紐体７のうち紐通し２８内の部分の長さを維持することにより、開口３を収縮した状態で保持する。
【００２２】
＜切れ目５、ファスナー６＞
図１、図３に示すように、切れ目５は、本体部２の一対の第二端部２２（端部２２Ａ、２２Ｂ）により形成され、開口３の上端部から後方に向けて延びる。切れ目５は、袋状の本体部２の上端部を左右方向に分断する。図３に示すように、切れ目５の間隔が広がるように端部２２Ａ、２２Ｂを左右外側方向に移動させた場合、開口３及び切れ目５は一体となって、本体部２の内面に設けられた表面材２６及び吸水材２７を大きく露出させる。このとき、開口３と切れ目５により形成される開口部の大きさは、本体部２の４つの端部（端部２１Ａ、２１Ｂ、２２Ａ、２２Ｂ）の長さの合計値の１／２を占める。
【００２３】
ファスナー６は、周知の防水性ファスナーであり、スライダー６１及びエレメント６２Ａ、６２Ｂ（総称して、エレメント６２という。）を有する。エレメント６２Ａは、本体部２の端部２２Ａに設けられる。エレメント６２Ｂは、本体部２の端部２２Ｂに設けられる。エレメント６２Ａ、６２Ｂは、互いに係合した状態と離隔した状態とに切り替え可能である。スライダー６１は、エレメント６２に沿って前後方向に移動可能である。スライダー６１は、前方に移動することによってエレメント６２Ａ、６２Ｂを離隔させる。この時、切れ目５は開放する（図３参照）。一方、スライダー６１は、後方に移動することによってエレメント６２Ａ、６２Ｂを係合させる。この時、切れ目５は閉塞する（図２参照）。エレメント６２Ａ、６２Ｂが閉塞した状態のファスナー６は、防水性を有し、液体の通過が抑制される。
【００２４】
＜使用方法＞
はじめに、図３に示すように、吸水性パッド１の紐体７に対する留め具８の位置が、連結部７０側に近接するように調整される。これにより、開口３は開放した状態で維持される。又、吸水性パッド１のファスナー６のスライダー６１が前方に移動される。これによって、エレメント６２Ａ、６２Ｂは離隔し、切れ目５は開放する。次に、図５に示すように、男性器９に対して下側に吸水性パッド１が配置される。男性器９の陰茎９Ａ及び陰嚢９Ｂは、本体部２の内面に設けられた表面材２６及び吸水材２７に接触した状態で維持される。
【００２５】
次に、ファスナー６のスライダー６１が後方に移動される。これにより、本体部２のシート体２Ａの端部２２Ａ、２２Ｂのエレメント６２Ａ、６２Ｂは係合し、切れ目５は閉塞する。男性器９の陰茎９Ａ及び陰嚢９Ｂは、本体部２の内面に設けられた表面材２６及び吸水材２７により覆われる。これにより、吸水材２７によって尿を吸収することが可能となる。次に、図６、図７に示すように、紐体７の露出部分が引っ張られ、紐体７のうち紐通し２８内の部分の長さが短くなる。これにより、紐通し２８が折り畳まれて開口３は収縮し、陰茎９Ａ及び陰嚢９Ｂのそれぞれの根元に密着する。次に、留め具８が移動され、本体部２の裂け目２８Ａに留め具８が近接する。開口３は、収縮した状態で維持される。これにより、開口３と男性器９との間の隙間から尿が漏れることが抑制される。
【００２６】
＜本実施形態の作用、効果＞
吸水性パッド１は、開口３から延び且つファスナー６により開閉可能な切れ目５を有する。切れ目５の間隔が広がるように端部２２Ａ、２２Ｂを左右外側方向に移動させた場合、開口３及び切れ目５は一体となって、本体部２の内面に設けられた表面材２６及び吸水材２７を大きく露出させる。開口３と切れ目５により形成される開口部の大きさは、本体部２の４つの端部（端部２１Ａ、２１Ｂ、２２Ａ、２２Ｂ）の長さの合計値の１／２を占める。このため吸水性パッド１は、ファスナー６により切れ目５を開放した状態で、男性器９の陰茎９Ａ及び陰嚢９Ｂを袋状の本体部２内に容易に収容できる。従って使用者は、男性器９に対する吸水性パッド１の装着を手際よく行うことができる。例えば、介護分野で吸水性パッド１が使用される場合、介護者は、介護対象者が仰向けに横たわった状態で吸水性パッド１を容易に装着、交換できるので、作業時における介護者の労力を軽減できる。又、通常のパンツ型おむつと異なり、寝たきりの介護対象者のお尻側に尿が回り込むことを抑制できる。従って、吸水性パッド１は、尿が回り込むことが要因で発生する可能性のある床ずれ等を適切に防止できる。更に、通常のパンツ型おむつと比べて全体形状を小型化できるので、吸水性パッド１は低コスト化が可能となる。
【００２７】
又、吸水性パッド１では、本体部２内に男性器９が収容された状態でファスナー６により切れ目５が閉塞されることにより、本体部２が男性器９の陰茎９Ａ及び陰嚢９Ｂに密着する。このため吸水性パッド１は、本体部２の内面に設けられた吸水材２７により尿等を適切に吸収させることができるので、尿漏れを適切に防止できる。又、ファスナー６は防水性を有するので、切れ目５を介して本体部２内から外部に液体が漏れることが抑制される。従って、吸水性パッド１は、使用中における本体部２からの尿漏れを適切に抑制できる。
【００２８】
吸水性パッド１の本体部２は、矩形状のシート体２Ａが折り目２０で折り曲げられることにより形成される。吸水性パッド１は、一対の第一端部２１の一方である端部２１Ａが接合され、一対の第一端部２１の他方である端部２１Ｂが開口３を形成する。又、一対の第二端部２２は切れ目５を形成する。この場合、矩形状のシート体２Ａに対する折り曲げ及び縫製加工により、吸水性パッド１を容易に生成できる。
【００２９】
吸水性パッド１の開口３の近傍に設けられた紐通し２８には紐体７が通してある。開口３は、紐体７により収縮可能である。この場合、吸水性パッド１は、男性器９の陰茎９Ａ及び陰嚢９Ｂが本体部２内に収容された状態で紐体７により開口３を収縮させることにより、男性器９と開口３とを密着させることができる。この場合、吸水性パッド１は、男性器９と開口３との間の隙間から尿等が外部に漏れることを適切に抑制できる。
【００３０】
又、吸水性パッド１は、紐体７によって男性器９の陰茎９Ａ及び陰嚢９Ｂに強く締め付けられる。このため、吸水性パッド１を装着した者が夜間の寝返り等によって運動、反転等を行った場合でも、吸水性パッド１が脱離することを適切に防止できる。
【００３１】
吸水性パッド１は、紐体７が開口３を収縮した状態で保持する留め具８を備える。この場合、吸水性パッド１は、紐体７により開口３を収縮させた状態を容易に維持できる。
【００３２】
紐体７の一部は、一対の第一端部２１の他方である端部２１Ｂの両端部から延び、本体部２の上側に露出する。この場合、吸水性パッド１は、紐体７の露出部分を上側から容易に操作して開口３を適切に収縮させることにより、男性器９と開口３とを密着させることができる。この場合、吸水性パッド１は、男性器９と開口３との間の隙間から尿等が外部に漏れることを、簡単な操作で抑制できる。
【００３３】
ファスナー６は、切れ目５を閉塞した状態で液体の通過を防止する防水性ファスナーである。従って、吸水性パッド１は、ファスナー６により切れ目５を閉塞することにより、切れ目５を介して尿等が外部に漏れることを適切に防止できる。
【００３４】
＜変形例＞
本発明は上記実施形態に限定されず、種々の変更が可能である。吸水性パッド１の本体部２は、２枚のシート体を張り合わせ、それぞれの２辺に対応する端部を縫い合わせることにより形成されてもよい。又は、本体部２は予め有底筒状を有してもよい。本体部２の開口３の近傍は、伸縮性を有する伸縮部材により形成されていてもよい。開口３は、伸縮部材が収縮することにより男性器９に密着してもよい。この場合、吸水性パッド１に紐体７は設けられていなくてもよい。開口３と男性器９とを密着させるための粘着テープが、開口３に設けられていてもよい。ファスナー６は、上記実施形態のように所謂線ファスナーであってもよいし、面ファスナー、点ファスナーが代わりに用いられてもよい。吸水性パッド１は留め具８を有さなくてもよい。本体部２において紐通し２８と連通する裂け目２８Ａは、本体部２の下側に設けられてもよい。紐体７の露出部分は、本体部２の下側に露出してもよい。紐体７の材料はゴムである場合に限定されず、弾性を有さない材料（例えば、綿、アクリル等）であってもよい。
【符号の説明】
【００３５】
１      ：吸水性パッド
２      ：本体部
３      ：開口
５      ：切れ目
６      ：ファスナー
７      ：紐体
８      ：留め具
２１    ：第一端部
２２    ：第二端部
２７    ：吸水材
【図１】
0006869560.tif 000002
【図２】
0006869560.tif 000003
【図３】
0006869560.tif 000004
【図４】
0006869560.tif 000005
【図５】
0006869560.tif 000006
【図６】
0006869560.tif 000007
【図７】
0006869560.tif 000008